(57)【要約】【課題】  コストアップを招くことなく、リード線の周囲の磁束によって生じる鉄損（損失）を低減することができるフォークリフト用モータ等の三相交流モータを提供する。【解決手段】  三相交流モータ１１に三相交流電力を供給するための三相のリード線１８を、ブラケット２４に形成した単一のリード線出口穴１８から引き出す。また、三相のリード線を、それぞれの横断面の中心部が正三角形の各頂点に位置する状態で単一のリード線出口穴から引き出すようにしてもよい。【選択図】        図１
2006197761.tif 000002
【特許請求の範囲】
【請求項１】
フレームと、このフレームの両端にそれぞれ設けたブラケットとを有する三相交流回転電機において、
この三相交流回転電機に三相交流電力を供給するための三相のリード線が、前記ブラケット又は前記フレームに形成した単一のリード線出口穴から引き出されていることを特徴とする三相交流回転電機。
【請求項２】
請求項１に記載の三相交流回転電機において、
前記三相のリード線が、それぞれの横断面の中心部が正三角形の各頂点に位置する状態で前記単一のリード線出口穴から引き出されていることを特徴とする三相交流回転電機。
【発明の詳細な説明】
【技術分野】
【０００１】
本発明は三相交流回転電機（三相交流モータ又は三相交流発電機）に関する。
【背景技術】
【０００２】
図４（ａ）は従来のフォークリフト用の三相交流モータの正面図、図４（ｂ）は前記三相交流モータの側面図である。
【０００３】
図４に示すフォークリフト用モータ１は三相交流モータであり、フォークリフトの走行用モータとしてフォークリフトに搭載されている。図４に示すように、フォークリフト用モータ１はフレーム２と、フレーム２の両端（回転軸６の軸方向に沿う方向の両端）にそれぞれ設けられたブラケット４，５とを有している。また、図示は省略するが、フレーム２内には固定子と回転子とが設けられている。固定子は円筒状でフレーム２に支持されており、回転子は円柱状で固定子の内側に配置され、その回転軸６が軸受を介してブラケット４，５に回転自在に支持されている。また、ブラケット４側が連結側であり、ブラケット４から突出した回転軸６の端部にフォークリフトの駆動機器が連結されるようになっている。
【０００４】
そして、フレーム２には３つのリード線出口穴７が周方向に間隔を有して形成されており、これら３つのリード線出口穴７から、フォークリフト用モータ１に三相交流電力を供給するための三相（各相１本ずつ）のリード線８が、それぞれ独立に引き出されている。図示は省略するが、フォークリフトにはバッテリとインバータとが搭載されており、三相のリード線８の一端側は前記インバータを介して前記バッテリに接続される一方、三相のリード線８の他端側はフレーム２内において図示しない三相の電機子巻線（固定子巻線）に接続されている。
【０００５】
従って、前記バッテリの直流電力が前記インバータによって適宜の周波数の三相交流電力に変換され、この三相交流電力が三相のリード線７を介して前記固定子巻線に供給されることにより、回転磁界が生成される。なお、フォークリフト用モータ１（三相交流モータ）としては三相誘導電動機でも、三相同期電動機でもよい。
【０００６】
なお、フォークリフト用モータ１は、低電圧（バッテリ電圧ＤＣ４８Ｖ）且つ高トルクが要求されるためにリード線８のサイズ（ケーブルサイズ）を太くする必要があり、また、機器側配線の関係及びモータサイズを出来るだけ小さくするために上記のようにリード線８を各相１本ずつ引き出すようにしている。フォークリフト用モータ１では、本方式を標準方式としている。
【０００７】
【特許文献１】特開平１０−２４４９５１号公報
【特許文献２】特開平０９−３０８１７５号公報
【特許文献３】特開２００２−０８４７０１号公報
【発明の開示】
【発明が解決しようとする課題】
【０００８】
フォークリフト用モータ１に対しては、近年、バッテリの有効利用の面から高効率化の要求が高まっている。現行のものに対し、より高級素材を使用することにより、フォークリフト用モータ１の効率を上げる手法もあるが、このような手法ではフォークリフト用モータ１のコストアップを招いてしまう。しかし、上記のような独立した３つのリード線出口穴７から各相独立してリード線８を引き出す現行構造では、高周波・大電流となるほど、各相のリード線８の周囲に生じる磁束により、フレーム２での鉄損（損失）が著しく大きくなって、効率の低下を招いてしまう。
【０００９】
従って、本発明は上記の事情に鑑み、コストアップを招くことなく、リード線の周囲の磁束によって生じる鉄損（損失）を低減することができるフォークリフト用モータ等の三相交流モータを提供することを課題とする。
【課題を解決するための手段】
【００１０】
上記課題を解決する第１発明の三相交流回転電機は、フレームと、このフレームの両端にそれぞれ設けたブラケットとを有する三相交流回転電機において、
この三相交流回転電機に三相交流電力を供給するための三相のリード線が、前記ブラケット又は前記フレームに形成した単一のリード線出口穴から引き出されていることを特徴とする。
【００１１】
また、第２発明の三相交流回転電機は、第１発明の三相交流回転電機において、
前記三相のリード線が、それぞれの横断面の中心部が正三角形の各頂点に位置する状態で前記単一のリード線出口穴から引き出されていることを特徴とする。
【発明の効果】
【００１２】
第１発明の三相交流回転電機によれば、三相のリード線が、ブラケット又はフレームに形成した単一のリード線出口穴から引き出されているため、各相のリード線の周囲の生じる磁束が相互に打ち消される。このため、ブラケット又はフレームでの鉄損（損失）が低減されて、効率が向上する。
【００１３】
第２発明の三相交流回転電機によれば、三相のリード線が、それぞれの横断面の中心部が正三角形の各頂点に位置する状態で単一のリード線出口穴から引き出されているため、より確実に、各相のリード線の周囲の生じる磁束が相互に打ち消される。このため、より効果的に、ブラケット又はフレームでの鉄損（損失）が低減されて、効率が向上する。
【発明を実施するための最良の形態】
【００１４】
以下、本発明の実施の形態例を図面に基づき詳細に説明する。
【００１５】
＜実施の形態例１＞
図１（ａ）は従来のフォークリフト用の三相交流モータの側面図、図１（ｂ）は前記三相交流モータの正面図である。
【００１６】
図１に示すフォークリフト用モータ１１は三相交流モータであり、フォークリフトの走行用モータとしてフォークリフトに搭載されている。図１に示すように、フォークリフト用モータ１１はフレーム１２と、フレーム１２の両端（回転軸１６の軸方向に沿う方向の両端）にそれぞれ設けられたブラケット１４，１５とを有している。また、図示は省略するが、フレーム１２内には固定子と回転子とが設けられている。固定子は円筒状でフレーム１２に支持されており、回転子は円柱状で固定子の内側に配置され、その回転軸１６が軸受を介してブラケット１４，１５に回転自在に支持されている。また、ブラケット１４側が連結側であり、ブラケット１４から突出した回転軸１６の端部にフォークリフトの駆動機器が連結されるようになっている。
【００１７】
そして、反連結側のブラケット１５には単一のリード線出口穴１７が形成されており、この単一のリード線出口穴１７から、フォークリフト用モータ１１に三相交流電力を供給するための三相（各相１本ずつ）のリード線１８が、引き出されている。リード線出口穴１７は円弧状であり、三相（三線）のリード線１８は円弧状に配列された状態でリード線出口穴１７から引き出されている。
【００１８】
また、図示は省略するが、フォークリフトにはバッテリとインバータとが搭載されており、三相のリード線１８の一端側は前記インバータを介して前記バッテリに接続される一方、三相のリード線１８の他端側はフレーム１２内において図示しない三相の電機子巻線（固定子巻線）に接続されている。従って、前記バッテリの直流電力が前記インバータによって適宜の周波数の三相交流電力に変換され、この三相交流電力が三相のリード線１８を介して前記電機子巻線（固定子巻線）に供給されることにより、回転磁界が生成される。なお、フォークリフト用モータ１１（三相交流モータ）としては三相誘導電動機でも、三相同期電動機でもよい。
【００１９】
以上のように本実施の形態例１のフォークリフト用モータ１１によれば、三相のリード線１８が、ブラケット１５に形成した単一のリード線出口穴１７から引き出されているため、各相のリード線１８の周囲に生じる磁束が相互に打ち消される。このため、ブラケット１５での鉄損（損失）が低減されて、効率が向上する。実験結果では、１．６％効率がアップした。
【００２０】
＜実施の形態例２＞
図２（ａ）は従来のフォークリフト用の三相交流モータの側面図、図２（ｂ）は前記三相交流モータの正面図、図３は前記三相交流モータに備えた三相のリード線を抽出して示す拡大図である。
【００２１】
図２に示すフォークリフト用モータ２１は三相交流モータであり、フォークリフトの走行用モータとしてフォークリフトに搭載されている。図２に示すように、フォークリフト用モータ２１はフレーム２２と、フレーム２２の両端（回転軸２６の軸方向に沿う方向の両端）にそれぞれ設けられたブラケット２４，２５とを有している。また、図示は省略するが、フレーム２２内には固定子と回転子とが設けられている。固定子は円筒状でフレーム２２に支持されており、回転子は円柱状で固定子の内側に配置され、その回転軸２６が軸受を介してブラケット２４，２５に回転自在に支持されている。また、ブラケット２４側が連結側であり、ブラケット２４から突出した回転軸２６の端部にフォークリフトの駆動機器が連結されるようになっている。
【００２２】
そして、反連結側のブラケット２５には単一のリード線出口穴２７が形成されており、この単一のリード線出口穴２７から、フォークリフト用モータ２１に三相交流電力を供給するための三相（各相１本ずつ）のリード線２８が、引き出されている。しかも、図２及び図３に示すようにリード線出口穴２７は円形状であり、三相（三線）のリード線２８は、それぞれの横断面の中心部Ｃが、互いに１２０℃の角度を成すように配置された状態、即ち正三角形の各頂点に位置する状態でリード線出口穴２７から引き出されている。
【００２３】
また、図示は省略するが、フォークリフトにはバッテリとインバータとが搭載されており、三相のリード線２８の一端側は前記インバータを介して前記バッテリに接続される一方、三相のリード線２８の他端側はフレーム２２内において図示しない三相の電機子巻線（固定子巻線）に接続されている。従って、前記バッテリの直流電力が前記インバータによって適宜の周波数の三相交流電力に変換され、この三相交流電力が三相のリード線２８を介して前記電機子巻線（固定子巻線）に供給されることにより、回転磁界が生成される。なお、フォークリフト用モータ２１（三相交流モータ）としては三相誘導電動機でも、三相同期電動機でもよい。
【００２４】
以上のように本実施の形態例２のフォークリフト用モータ２１によれば、三相のリード線２８が、それぞれの横断面の中心部Ｃが正三角形の各頂点に位置する状態で単一のリード線出口穴２７から引き出されているため、より確実に、各相のリード線２８の周囲に生じる磁束が相互に打ち消される。このため、より効果的に、ブラケット２５での鉄損（損失）が低減されて、効率が向上する。
【００２５】
なお、本発明は特に上記実施の形態例１，２のような高周波・大電流のフォークリフト用モータに適用して有用なものであるが、必ずしもこれに限定するものではなく、その他の用途の三相交流モータにも広く適用することができる。
【００２６】
また、本発明は三相交流モータに適用して有用なものであるが、必ずしもこれに限定するものではなく、三相交流発電機にも適用することができる。
【００２７】
また、上記実施の形態１，２では反連結側のブラケット１５，２５に単一のリード線出口穴を形成したが、これに限定するものではなく、連結側のブラケット１４，２４に単一のリード線出口穴１７，２７を形成して、このリード線出口穴１７，１８から三相（三線）のリード線１８，２８を引き出すようにしてもよい。
【００２８】
また、単一のリード線出口穴１７，２７を形成する位置は、必ずしも上記実施の形態例１，２のようなブラケットに限定するものではなく、フレーム１２，２２でもよい。この場合にも、フレーム１２，２２に形成した単一のリード線出口穴１７，２７から三相（三線）のリード線１８，２８を引き出すことにより、各相のリード線１８，２８の周囲に生じる磁束が相互に打ち消されるため、フレーム１２，２２での鉄損（損失）が低減されて、効率が向上する。
【産業上の利用可能性】
【００２９】
本発明は三相交流回転電機に関するものであり、特にフォークリフト用モータ等の高周波・大電流の三相交流モータなどに適用して有用なものである。
【図面の簡単な説明】
【００３０】
【図１】（ａ）は従来のフォークリフト用の三相交流モータの側面図、（ｂ）は前記三相交流モータの正面図である。
【図２】（ａ）は従来のフォークリフト用の三相交流モータの側面図、（ｂ）は前記三相交流モータの正面図である。
【図３】前記三相交流モータに備えた三相のリード線を抽出して示す拡大図である。
【図４】（ａ）は従来のフォークリフト用の三相交流モータの正面図、（ｂ）は前記三相交流モータの側面図である。
【符号の説明】
【００３１】
１１  フォークリフト用モータ（三相交流モータ）
１２  フレーム
１４，１５  ブラケット
１６  回転軸
１７  リード線出口穴
１８  リード線
２１  フォークリフト用モータ（三相交流モータ）
２２  フレーム
２４，２５  ブラケット
２６  回転軸
２７  リード線出口穴
２８  リード線
【図１】
2006197761.tif 000003
【図２】
2006197761.tif 000004
【図３】
2006197761.tif 000005
【図４】
2006197761.tif 000006